(57)【要約】【課題】  ラベルの熱収縮の確認を容易に行うことができ、さらに容器のキャップ部上面方向から見たときの識別性を有する熱収縮性ラベルおよびその熱収縮性ラベルで包装された容器を提供することを目的とする。【解決手段】  容器本体５と該容器本体５の取出口に着脱可能に装着されるキャップ部４とを備える点眼薬容器３を包装するために、実質的にキャップ部４を覆うことになる第１領域１Ａと容器本体５を覆うことになる第２領域１Ｂとを備えた熱収縮性ラベル１であって、第１領域１Ａと第２領域１Ｂとは水平方向のミシン目線７を介して互いに連設しており、第１領域１Ａには、その上端縁に沿って帯状の着色層２が設けられ、第１領域１Ａの上端部は容器のキャップ部４の上端部よりも背高に設定され、熱収縮によって熱収縮性ラベル１を点眼薬容器３に包装した時に、着色層２は少なくともキャップ部４天面の周縁部に帯状の環状着色層２が位置するように形成されたことを特徴とする。【選択図】        図４
2008068907.tif 000002
【特許請求の範囲】
【請求項１】
容器本体と該容器本体の取出口に着脱可能に装着されるキャップ部とを備える容器を包装するために、実質的に前記キャップ部を覆うことになる第１領域と前記容器本体を覆うことになる第２領域とを備えた熱収縮性ラベルであって、
前記第１領域と前記第２領域とは水平方向のミシン目を介して互いに連設しており、
前記第１領域には、その上端縁に沿って帯状の着色層が設けられ、
前記第１領域の上端部は前記容器のキャップ部の上端部よりも背高に設定され、
熱収縮によって前記熱収縮性ラベルを前記容器に包装した時に、前記着色層は少なくともキャップ部天面の周縁部に帯状の環状着色層が位置するように形成されたことを特徴とする熱収縮性ラベル。
【請求項２】
シート状の熱収縮フィルムとして形成され、
この熱収縮フィルムは、一方の側端部に帯状の接着層を備え、
前記容器の周側面に巻き回されて、前記接着層が前記熱収縮フィルムの他方の側端部に接着し、熱収縮して前記容器を包装する請求項１に記載の熱収縮性ラベル。
【請求項３】
前記着色層が前記キャップ部の周側面の一部にも形成される請求項１または２に記載の熱収縮性ラベル。
【請求項４】
前記着色層は、前記キャップ部を包装する状態において、前記キャップ部天面と前記キャップ部の周側面との角部にまたがって位置するように形成される請求項１ないし３のいずれか１項に記載の熱収縮性ラベル。
【請求項５】
前記第２領域の裏面には接着剤が塗布され容器本体胴部に固着される請求項１ないし４のいずれか１項に記載の熱収縮性ラベル。
【請求項６】
前記容器を包装している前記熱収縮性ラベルを開封するための所定のミシン目線につながり、前記第１領域の上端部から突出するように形成されたつまみ部を備える請求項１ないし５のいずれか１項に記載の熱収縮性ラベル。
【請求項７】
前記着色層は前記つまみ部を含むようにして形成される請求項６に記載の熱収縮性ラベル。
【請求項８】
請求項１ないし７のいずれか１項に記載の熱収縮性ラベルで包装されたことを特徴とする容器。
【請求項９】
容器本体内に医薬品を収容した請求項８記載の容器。
【発明の詳細な説明】
【技術分野】
【０００１】
本発明は、点眼薬容器などの液体収納容器に用いられる熱収縮性ラベルおよび容器に関する。
【背景技術】
【０００２】
従来より、容器本体と容器本体の取出口に締結されたキャップ部とからなる点眼薬容器などの比較的小型の液体収納容器は、キャップ部と容器本体に跨るようにして容器全体を熱収縮性フィルムラベルで被覆されることが一般的である。このラベルには、容器本体を覆う領域の表面に薬剤名や内容量などの情報が印刷されており、液体収納容器の内容物を識別することができる。そして、このラベルによって、キャップ部と容器本体とを一体的に固定するとともに、外部から容器内への異物の混入を防ぐことができ、衛生上非常に有用である。
【０００３】
一般的に、ラベルはシート状に形成されており、容器の周側面に巻き回され、このラベルの一方の側端部に形成されている帯状の貼り合わせ部を他方の側端部に貼着して筒状にされ、熱収縮によって容器本体の外周面に密着するように取り付けられる。また、ラベルを予め筒状ラベルとして形成し、容器に外嵌して熱収縮によって包装される場合もある。
【発明の開示】
【発明が解決しようとする課題】
【０００４】
しかし、ラベルは、一般的に透明または無地の合成樹脂で形成されるため、一見しただけでは熱収縮の度合いが判りづらく、製造元において収縮の良否を判別することが難しい問題がある。
【０００５】
また、点眼薬等の薬剤はその物質の含有量等によって複数種類存在するが、メーカーの生産効率などの理由から、同程度の充填量とする場合には同一形態の容器を用いることが多い。この場合、容器本体側部のラベルの内容表示のみを変えて出荷される。
【０００６】
使用者においては、複数の点眼薬を判別する際には、容器を包装しているラベルの容器本体側部に位置する内容表示を見て内容物を確認する必要があり、特に包装箱等に容器が複数本密接に収納されてキャップ部上面しか見ることができない場合、内容物の識別がし難い問題がある。
【０００７】
本発明は、上記問題に鑑みてなされたものであり、ラベルの熱収縮の確認を容易に行うことができ、さらに容器のキャップ部上面方向から見たときの識別性を有する熱収縮性ラベルおよびその熱収縮性ラベルで包装された容器を提供することを目的とする。
【課題を解決するための手段・発明の効果】
【０００８】
上記課題を解決するため、本発明の熱収縮性ラベルは、容器本体と該容器本体の取出口に着脱可能に装着されるキャップ部とを備える容器を包装するために、実質的にキャップ部を覆うことになる第１領域と容器本体を覆うことになる第２領域とを備えた熱収縮性ラベルであって、
第１領域と第２領域とは水平方向のミシン目を介して互いに連設しており、
第１領域には、その上端縁に沿って帯状の着色層が設けられ、
第１領域の上端部は容器のキャップ部の上端部よりも背高に設定され、
熱収縮によって熱収縮性ラベルを容器に包装した時に、着色層は少なくともキャップ部天面の周縁部に帯状の環状着色層が位置するように形成されたことを特徴とする。
【０００９】
上記本発明によれば、キャップ部の天面周縁に沿って着色層が設けられ、天面の一部を含むように着色層が形成されているため、容器の上方からキャップ部上面を見ることによって、帯状の環状着色層を確認することができる。このため、内容物の含有量等の違いによって着色層の着色を異ならせることにより、同一形態の容器に充填しても、着色層の色の違いによって簡易に識別することができる。
【００１０】
また、熱収縮によって包装した際に、熱収縮が均一であればキャップ部の天面周縁に沿って帯状の環状着色層が形成され、熱収縮が不均一であれば着色層にゆがみを生じるため、この着色層を例えば光学的に確認することによって熱収縮の度合いの良否を自動的に判定することができる。
【００１１】
また、本発明の熱収縮性ラベルは、シート状の熱収縮フィルムとして形成され、
この熱収縮フィルムは、一方の側端部に帯状の接着層を備え、
容器の周側面に巻き回されて、接着層が熱収縮フィルムの他方の側端部に接着し、熱収縮して容器を包装することができる。このように、シート状に形成することによって、内容物を表示する印刷がしやすいものとなり、またラベルを開封するためのミシン目を形成しやすい効果がある。
【００１２】
また、着色層がキャップ部の周側面の一部にも形成されるとすることもでき、これによって、容器の側方から容器の側面を見ても、着色層を確認することができる。
【００１３】
また、着色層は、キャップ部を包装する状態において、キャップ部天面とキャップ部の周側面との角部にまたがって位置するように形成されるようにすることができる。これにより、天面の一部と周側面の一部を含むように、キャップ部天面の周縁部に沿って帯状に環状着色層を形成しているため、容器の上方からキャップ部上面を見ても、容器の側方から容器の側面を見ても、環状着色層を確認することができる。
【００１４】
また、第２領域の裏面には接着剤が塗布され容器本体胴部に固着されるようにすることができる。これによって、ラベルを破断して容器を開封する際に、容器胴部を包装するラベルは接着剤によって容器本体胴部に固着しているため、キャップ部を包装するラベルのみを取り除くことができる。
【００１５】
また、本発明の熱収縮性ラベルは、容器を包装している熱収縮性ラベルを開封するための所定のミシン目線につながり、第１領域の上端部から突出するように形成されたつまみ部を備えるように形成することができる。これによって、ラベルを開封する際に、つまみ部を持って第１領域に形成されているミシン目線を破断して開封することができ、開封しやすいラベルとなる。
【００１６】
また、着色層はつまみ部を含むようにして形成することができ、これによって、つまみ部の位置がわかり易く、また、キャップ部天面に着色層が大きく設けられるため、容器の上方から見たとき、識別がよりし易いものとなる。
【００１７】
また、本発明において、上述のような熱収縮性ラベルで包装された容器として形成することができ、熱収縮性ラベルに形成された着色層がキャップ部天面及び周側面に位置することによって、容器の上方及び側方から見た際に識別性を有する容器を得る。
【００１８】
また、本発明の容器は、容器本体内に医薬品を収容している。これによって、収容されている医薬品を簡易に識別することができ、使用者による医薬品の誤使用を防ぐことができる。
【発明を実施するための最良の形態】
【００１９】
以下、本発明の実施の形態を、図面を用いて説明する。
図１は、本発明に係るラベル１の展開正面図である。ラベル１は、熱収縮性の合成樹脂からなり、長方形状のフィルムまたはシートとして成形されている。このラベル１は、上半分の第１領域１Ａと、下半分の第２領域１Ｂとを備えており、この第１領域１Ａと第２領域１Ｂとは水平方向のミシン目線７を介して互いに連設している。
【００２０】
本発明で用いられる熱収縮性の合成樹脂としては、通常、包装のために使用される公知のものを使用することができ、例えば、ポリエチレンテレフタレート、ポリプロピレン、ポリ塩化ビニル、ポリエチレン等のフィルムを挙げることができる。
【００２１】
第１領域１Ａには、上端部に帯状に着色された着色層２が形成されている。この着色層２に使用されるインキは、熱収縮性フィルムと接着性があり、必要な耐性を有している、一般的に用いられているインキ、例えば紫外線硬化型インキ等公知のインキを使用することができる。
【００２２】
図２に示すように、ラベル１の裏面には、帯状の接着層８が形成されている。また、第２領域１Ｂの表面または裏面には、図示しないが、例えば、収納された薬液の薬品名、商品名、製造元、販売元、容器・ラベルの材質、使用期限、製造番号等の法定表示が適宜記載された印刷層を設けることができ、第２領域１Ｂの裏面に接着剤９（例えば、感熱性接着剤、感圧性接着剤等の公知の接着剤）が適宜の箇所に塗布されている。この接着剤９によってラベル１は容器胴部に固着されるため、ラベル１を破断して開封した後も容器に表示を残すことができる。
【００２３】
本発明のラベル１は、点眼薬容器３の周側面に巻き回して取付けられ、熱収縮によって点眼薬容器３の形状に密着するように包装される。すなわち、図３に示すように、ラベル１は、上記のように印刷層を形成した後、内容物が充填された点眼薬容器３に対して一端から巻き始め、一周して接着層８をラベル１の他方の側端部に重ね、両端辺の重なり部同士を接着剤、溶剤、熱融着等で接着させる。そして、熱収縮温度のスチームトンネルや熱風トンネルなどの周知の手段で熱収縮させることにより、ラベル１を点眼薬容器３に装着する。この際、点眼薬容器３に外嵌したラベル１は、例えば、１００℃において、縦方向は４５％以上の熱収縮率で、横方向は１０％以下の熱収縮率で熱収縮し、図４に示すように点眼薬容器３の形状に密着する。このように点眼薬容器３を包装すると、第１領域１Ａはキャップ部４を、第２領域１Ｂは容器本体５を覆う。
【００２４】
図６は、ラベル1が包装された点眼薬容器３のキャップ部４の断面図である。ラベル1が点眼薬容器３を包装すると、第１領域１Ａの上端部に形成された着色層２は、キャップ部４の天面４ａ周縁に沿って位置し、天面４ａ周縁を含んで天面４ａには着色層２ａが、側面４ｂには着色層２ｂが位置するように形成される。
【００２５】
なお、以上の説明では、シート状の熱収縮フィルムとして形成されているラベル１について説明したが、予め筒状に形成されたラベルを使用することもできる。すなわち、長尺状の筒状フィルムを点眼薬容器３の上端部よりも背高になるように切断して、図５に示すように、所定長さの筒状のラベル１０を得る。そして、ラベル１０を開口させて、点眼薬容器３へ嵌挿して熱収縮させて包装する。
【００２６】
以上説明したラベル１は、上記のように熱収縮によって点眼薬容器３を包装した状態で、薬局や病院に出荷される。この時、熱収縮によって包装すると、加熱時間や加熱温度によって、例えば加熱が足りず熱収縮が不均一であると、点眼薬容器３への密着が不十分となることがある。このため、点眼薬容器３内に点眼薬等の内容物を充填し、ラベル１によって包装を行う製造元では、ラベル１が均一に熱収縮して点眼薬容器３を包装しているかを確認する必要がある。この時、通常の包装ラベルは透明の合成樹脂で形成されているため、一見しただけでは熱収縮の度合いが判り難い。しかし、本発明のラベル１によれば、熱収縮によって包装した際に、熱収縮が均一であれば、図７の平面図に示すようにキャップ部４の天面４ａ周縁に沿って着色層２が環状に形成され、熱収縮が不均一であれば着色層２にゆがみが生じるため、キャップ部４の上面方向より着色層２を確認することによって熱収縮の度合いの良否を判定することができる。
【００２７】
熱収縮の度合いを検査する手段として、搬送ライン上に設置されたＣＣＤカメラを用いてラベル１で包装された点眼薬容器３を撮像し、その画像をモニターに映し出して確認することが行われる。従来の検査では、ＣＣＤカメラは点眼薬容器３を真横から見る位置に配置され、点眼薬容器３を搬送ライン上で一旦停止させると同時にその位置で回転させて、ＣＣＤカメラによって点眼薬容器３の周側面を撮像して検査を行っていた。このとき、点眼薬容器３の周側面を撮像するためには何回かシャッターを切る必要があり、また、その複数のモニター画像を確認する必要があるため、処理時間が多くかかる欠点があった。しかし、本発明のラベル１によれば、ＣＣＤカメラを点眼薬容器３の真上から天面４ａを見る位置に配置して、点眼薬容器３の移動中にＣＣＤカメラによって撮像する。そして、この撮像されたキャップ部４の天面４ａの画像のみを確認する。例えば着色層２ａの帯の太さによって、着色層２がキャップ部４の天面４ａ周縁に沿って環状に形成されているかどうか、さらに着色層２の色等を検査し、欠点が１つでもあった場合は系外排出される。このように、キャップ部４の天面４ａの画像のみを確認することによって、ラベル１の熱収縮の良否を判断することができるため、効率的に検査をすることができる。
【００２８】
次に、薬局や病院などの医療現場において、薬剤師、医師等は、薬の処方箋等に基づいて点眼薬を患者に渡すための準備をする。点眼薬等の薬剤はその物質の含有量等によって複数種類存在するが、メーカーの生産効率などの理由から、同程度の充填量とする場合には同一形態の容器を用いて、容器本体５側部のラベルの内容表示のみを変えて出荷される。このため、使用者側にとっては、容器の形態が同一のため、一見しただけでは内容物を識別し難い。特に、点眼薬の種類が同じで含有量のみが異なる場合、薬剤名は同じであるが、含有量の表示のみを異ならせて記載されるため、たとえ容器本体５側部のラベルの内容表示を確認したとしても、混同してしまうおそれがある。しかし、本発明のラベル１によれば、同じ薬剤名のものでも、例えば含有量が０．０５％のものはラベル１の着色層２の色を赤とし、含有量が１％のものは着色層２の色を緑とするなどして着色層２の色を異ならせることによって、内容物を容易に判別することができる。
【００２９】
また、図６に示すように、着色層２はキャップ部４の天面４ａ周縁を含んで天面４ａには着色層２ａが、側面４ｂには着色層２ｂが位置しているため、キャップ部４上方から見たときは着色層２ａによって、また、点眼薬容器３の側方から見たときは着色層２ｂによって確認することができる。特に、製造元から薬局や病院に出荷される際、包装箱に複数本の点眼薬を収納して出荷され、薬局や病院では包装箱のまま保管されるかまたは医薬カートに収納されて保管される場合が多い。この時、包装箱内や医薬カートに収納された点眼薬容器３は、キャップ部４の天面４ａしか見ることができないため、点眼薬容器３を持ち上げて、容器本体５側部のラベルの内容表示の薬剤名と含有量表示を確認する必要がある。しかし、図７に示すようにキャップ部天面４ａに着色層２ａが形成されていると、その着色層２ａの色によって識別することができ、内容物の判別が容易となる。
【００３０】
次に、本発明の別の実施形態について説明する。ここで、上記実施形態と同様の部材は、同一の符号を付して説明を省略する。
図８は第２実施形態におけるラベルの展開正面図であり、図９はそのラベルによって包装された状態の点眼薬容器の外観斜視図である。図８に示すように、ラベル１１にはつまみ部６が設けられている。このつまみ部６は、ラベル１１を開封するためのミシン目線７１，７２につながり、第１領域１Ａの上端部から突出するように形成されている。そして、着色層２１は、このつまみ部６を含んで形成されている。
【００３１】
この構成によれば、つまみ部６が形成されることによって、ラベル１１を開封する際に、つまみ部６を持って第１領域１Ａに形成されているミシン目線７１，７２を破断し、さらに続くミシン目線７３，７４を破断して開封することができ、開封しやすいラベル１１となる。本実施例では、ミシン目線の形態として、第１領域１Ａと第２領域１Ｂとの境界に形成されたミシン目線７４と、ミシン目線７４からキャップ部４の開封ねじり方向とは反対側へ斜め上方に傾斜して延びるミシン目線７３と、つまみ部６の一方の側縁からミシン目線７３につながるように形成されたミシン目線７１と、つまみ部６の他の側縁からミシン目線７３にはつながらないように中途で途切れるように形成されたミシン目線７２とを備えている。キャップ部４を包装するラベル１１の第１領域１Ａは、ミシン目線７１，７２，７３，７４に沿って破断されて取り除かれるが、裏面に接着剤が塗布されている第２領域１Ｂは容器本体５胴部に固着されているために、容器本体５胴部に所定の表示を残すことができる。
【００３２】
そして、図１０に示すようにつまみ部６を着色層２１として形成することによって、つまみ部６の位置がわかり易く、さらに、キャップ部天面４ａに着色層２１が大きく設けられるため、容器の上方から見たとき、識別がよりし易いものとなる。
【００３３】
次に、図１１に本発明のラベルの第３実施形態を示す。図１の構成では、ラベル１の第１領域１Ａの上端辺に沿って着色層２が形成されているが、図１１の構成では、着色層２２は第１領域１Ａの上端辺から離間した位置に帯状に形成され、熱収縮によって点眼薬容器３を包装したときにキャップ部４の天面４ａ周縁を含んで位置するように形成されている。このように、キャップ部４の天面４ａを覆う部分に、透明領域が含まれていたとしても、天面４ａの一部及びキャップ部４の周側面の一部に着色層２２が配置するように形成することにより、点眼薬容器３を上方向及び側方から見た時に、着色層２２を確認することができる。したがって、この着色層２２によって、内容物を判別することができる。さらにこの着色層２２が天面４ａ周縁を含み周方向に全周して形成されることから、これを点眼薬容器３の上方から見たときに着色層２２部分がゆがんでいるか確認することによって熱収縮の度合いを判別することができる。
【００３４】
次に、第４実施形態として、図１２に示すように、キャップ部４の天面４ａを覆う部分とキャップ部４の周側面にそれぞれ帯状の着色層２３ａ，２３ｂを設けて形成することもできる。この構成によっても、着色層２３のゆがみによって熱収縮の良否を判定することができるとともに、天面４ａに形成された着色層２３ａ、及び周側面に形成された着色層２３ｂによって、点眼薬容器３を上方向及び側方から見た時に内容物を識別することができる。さらに、着色層２３の色のみでなく着色層２３ａ、２３ｂの配置によってもラベルを異ならせることができるため、多数の識別性を有するラベルとなる。例えば含有量が０．０５％のものは図４に示す第１実施形態のように着色層２を１本の帯状として形成し、含有量が１％のものは図１２に示す着色層２３ａ、２３ｂの２本線として形成するなどして着色層の配置を異ならせることによって識別性を持たせることができる。
【００３５】
以上、本発明の実施形態について説明したが、本発明はこれらの形式に限定されるものではなく、これらに具現された発明と同一性の範囲内において適宜変更して実施し得る。例えば、本実施例は、主として液体を収納する点眼薬容器に用いるラベルについて例示しているが、錠剤、カプセル剤、細粒剤、顆粒剤、散剤、液剤などの医薬品や、医薬品以外の内容物を収納した容器に適用してもよい。また、本発明のラベルは、プラスチックやガラス、ＰＥＴ製のボトルなどのほか、種々の容器に適用可能である。
【００３６】
この発明によれば、ラベルに形成されている着色層がゆがみを生じることなくキャップ部天面の形状に沿って全周しているかどうかを確認することによって、ラベルの熱収縮の良否を容易に判別することができる。さらに、周側面に着色層を施したときには、容器のキャップ部上面方向及び側面方向の両方向から着色層が確認できる構造のため、着色層によって内容物を容易に識別することができるものである。
【図面の簡単な説明】
【００３７】
【図１】本発明の第１実施形態におけるラベルの展開正面図。
【図２】図１のラベルの裏面図。
【図３】図１のラベルの包装工程を説明する図。
【図４】ラベルで包装された容器を示す外観斜視図。
【図５】筒状フィルムで形成されたラベルの包装工程を説明する図。
【図６】ラベルで包装された容器のキャップ部の断面図。
【図７】ラベルで包装された容器の平面図。
【図８】本発明の第２実施形態におけるラベルの展開正面図。
【図９】第２実施形態におけるラベルで包装された容器を示す外観斜視図。
【図１０】第２実施形態におけるラベルで包装された容器の平面図。
【図１１】第３実施形態におけるラベルで包装された容器を示す外観斜視図。
【図１２】第４実施形態におけるラベルで包装された容器を示す外観斜視図。
【符号の説明】
【００３８】
１    ラベル
１Ａ  第１領域
１Ｂ  第２領域
２    着色層
３    点眼薬容器
４    キャップ部
５    容器本体
６    つまみ部
７    ミシン目線
８    接着層
【図１】
2008068907.tif 000003
【図２】
2008068907.tif 000004
【図３】
2008068907.tif 000005
【図４】
2008068907.tif 000006
【図５】
2008068907.tif 000007
【図６】
2008068907.tif 000008
【図７】
2008068907.tif 000009
【図８】
2008068907.tif 000010
【図９】
2008068907.tif 000011
【図１０】
2008068907.tif 000012
【図１１】
2008068907.tif 000013
【図１２】
2008068907.tif 000014